(57)【要約】本発明は、記録された情報セットを読取りするために使用され、連続情報の読取りに使用可能な読取りシステムに適用される方法及びシステムに関する。本発明は少なくとも２つの動作段階を含み、即ち、１つは、読取りされる第１の情報シーケンスのマーク付けに関する段階であり、これは、高速動作キーといった特別処理モードトリガ装置をユーザが作動させたときの第１の中断によってトリガされ、これにより、第２の情報シーケンスを読取りすることができる。もう１つは、前のマーク付け段階の間に中断され且つマークが付けられた第１の情報シーケンスに戻ることに関する段階である。この戻る段階は、第２の情報シーケンスの捕捉の間に、ユーザが戻り装置を作動させることによって、ユーザによってトリガされる。本発明は、記録情報を得るために、また、より具体的には、オーディオビジュアル作品を見るために、ユーザによって使用されることができる。
2005530282.tif 000002
【特許請求の範囲】
【請求項１】
読取りシステムに適用可能で、前記読取りシステムが特に連続情報である情報を読取り可能にする記録情報のセットを読取りする方法において、
前記読取りシステムは、前記読取りされる情報の特別処理モードをトリガする少なくとも１つの装置を含み、
前記方法は、
ａ．ユーザが前記特別処理モードをトリガする装置を作動させるときの第１の中断によってトリガされて現在読取りされる第１の情報シーケンスに、第２の情報シーケンスを読取りすることを顧慮して、マークを付ける段階と、
ｂ．前記マーク付け段階の間に中断され且つマークが付けられた前記第１の情報シーケンスに巻戻しする段階と、
を含み、
前記巻戻し段階は、前記第２の情報シーケンスの再生の間に、前記ユーザが巻戻し装置を作動させるときに前記ユーザによってトリガされることを特徴とする方法。
【請求項２】
前記方法は、幾つかの制御装置又は制御キーを含むシステムに適用可能であり、
前記巻戻し段階は、前記制御装置のうちいずれかによって制御可能であることを特徴とする請求項１記載の情報読取り方法。
【請求項３】
第１のマーク付け段階後で、所定時間より大きい前記第２の情報シーケンスの読取り時間が経過した後に、前記ユーザが、前記特別処理モードをトリガする装置を再び作動させると、第２のマーク付け段階がトリガされ、以下同様であることを特徴とする請求項１記載の情報読取り方法。
【請求項４】
前のマークは、次のマークによって消去されないことを特徴とする請求項３記載の情報読取り方法。
【請求項５】
第１のマーク付け段階後で、所定時間より小さい前記第２の情報シーケンスの読取り時間が経過した後に、前記ユーザが、前記特別処理モードをトリガする装置を再び作動させると、第２のマーク付け段階はトリガされないことを特徴とする請求項１記載の情報読取り方法。
【請求項６】
各情報アイテムには、各情報アイテムの位置を示すアドレス又は指示が割当てられ、
各マーク付け段階では、情報のシーケンスに対応する前記アドレス又は前記位置を示す指示を、一時メモリ内に登録することを特徴とする請求項３記載の情報読取り方法。
【請求項７】
前記巻戻し段階は、
前記一時メモリを読取りするフェーズと、
前記一時メモリから読取りされた位置を示す指示に対応する前記情報シーケンスをアドレスするフェーズと、
を含むことを特徴とする請求項５記載の情報読取り方法。
【請求項８】
様々なマークに対応する様々な位置を示す指示は、前記一時メモリにおいて番号が付けられ、
前記巻戻し装置は、番号が付けられたキーを含み、
前記番号が付けられたキーを作動させることによって、同じ番号を有する前記位置を示す指示の読取りを可能にし、
前記巻戻し段階は、前記読取りされた位置を示す指示にある前記情報シーケンスに巻戻しすることを特徴とする請求項５記載の情報読取り方法。
【請求項９】
前記方法は、前記記録された情報セットの継続時間又は長さの表現をグラフィカル表示し、前記グラフィカル表示上に、マーク付けされた各シーケンスの場所を示すタグを表示する段階を含むことを特徴とする請求項１、３、又は７記載の情報読取り方法。
【請求項１０】
各タグは、マーク番号に関連付けられることを特徴とする請求項９記載の情報読取り方法。
【請求項１１】
少なくとも１つのマーク付け段階がトリガされたことを示すグラフィカル情報アイテムを表示する段階を含むことを特徴とする請求項１、３、又は７記載の情報読取り方法。
【請求項１２】
各マーク付け段階後に所定時間が完了するとトリガされ、前記表示段階を中断することを可能にするタイムアウト段階を含むことを特徴とする請求項９記載の情報読取り方法。
【請求項１３】
前記タイムアウト段階は、少なくとも１つのマークが記録されたことを示す単純化されたインジケータの表示をトリガすることを特徴とする請求項１２記載の情報読取り方法。
【請求項１４】
前記単純化されたインジケータが表示されているときに、前記巻戻し装置の第１の作動は、前記グラフィカル表示段階をトリガし、前記巻戻し装置の第２の作動は、前記巻戻し段階をトリガすることを特徴とする請求項９記載の情報読取り方法。
【請求項１５】
連続情報を読取りすることを可能にし、前記読取りされる情報の特別処理モードをトリガする少なくとも１つの装置を含み、記録情報の別のシーケンスに移動するよう前記情報の通常の読取りを中断可能な、前記記録情報のセットを読取りするシステムであって、
特別モード信号を受信し中断されたシーケンスにマークを付け、メモリにおいて前記中断されたシーケンスのアドレスのマーク付けを命令する回路を含むことを特徴とするシステム。
【請求項１６】
中断されたシーケンスへの巻戻しを命令する少なくとも１つの制御装置と、
前記メモリ内の前記中断アドレスの読取りを命令し、前記中断アドレスから前記記録の読取りへの巻戻しを命令する、前記メモリを読取りする回路と、
を含むことを特徴とする請求項１５記載の情報のセットを読取りするシステム。
【請求項１７】
前記マーク付け回路は、１つ以上の中断アドレスのメモリ内への登録を命令することを特徴とする請求項１５記載の情報のセットを読取りするシステム。
【請求項１８】
前記マーク付け回路は、連続番号を各中断アドレスに割当てることを特徴とする請求項１５記載の情報のセットを読取りするシステム。
【請求項１９】
前記巻戻し制御装置は、番号が付けられたキーを含み、
番号が付けられたキーの作動によって与えられる信号は、前記読取り回路によって使用されて、前記作動された番号が付けられたキーの番号と同じ連続番号を有するアドレスの前記メモリからの読取りを命令することを特徴とする請求項１８記載の情報のセットを読取りするシステム。
【発明の詳細な説明】
【発明の詳細な説明】
【０００１】
本発明は、オーディオビジュアル装置において記録された情報を読取りする方法及びシステムに関する。
【０００２】
本発明は、特に、オーディオビジュアル番組といった情報セットが、記録媒体上に記録されて、ビデオレコーダ、ＤＶＤ（デジタルバーサトルディスク）リーダ、ＣＤリーダ、ハードディスクリーダといったリーダによって読取り可能であることによってユーザに利用可能にされる、又は、遠隔サーバによってユーザに利用可能にされるシステムに適用可能である。
【０００３】
本発明は、特に、記録の情報を、連続的に、直列で読取り可能にするようシステムに適用可能である。
【０００４】
説明を容易にするために、本発明は、以下、オーディオビジュアル番組の表示の枠内で説明する。しかし、本発明は、通常連続的に表示される任意の他のタイプの情報のユーザによる再生（読取り、傾聴等）に適用可能である。
【０００５】
ユーザが、オーディオビジュアル番組を視聴するとき、ユーザは、記録における特定のシーケンスをスキップする、又は、前のシーケンスに巻戻しする、若しくは、特定のシーケンスを検索する必要を感じることがある。このために、ユーザは、市販のリーダ（ＤＶＤリーダ、ＣＤリーダ、ビデオレコーダ等）上に、高速巻戻し及び早送りキー、高速順方向読取り及び高速逆方向読取りキー、及び、スローモーションキーが具備される。以下の説明において、これらのキーは、一般的に「特別処理モードをトリガする装置」という用語によって表す。
【０００６】
しかし、ユーザが第１の視聴シーケンスを、第２のシーケンスを視聴又は検索するために離れると、ユーザは、離れる際に後で手動で戻れるよう第１のシーケンスのアドレスをメモに取らない限り第１のシーケンスに戻ることは困難であり、更に、常に非常に正確に戻れるわけではない。
【０００７】
米国特許第５，９９９，６８８号は、ビデオレコーダといった記録されたオーディオビジュアル番組を表示する装置を教示する。ユーザは、広告シーケンスの始まりと終わりをポインティングすることによって番組にマーク付けることが可能である。このマーク付けフェーズが終了すると、ユーザは、１つの広告シーケンスから別のシーケンスにナビゲートすることが可能であり、新しいシーケンスの読取りは、始まりにおいて行われる。しかし、この特許は、前に離れた場所におけるシーケンスに戻ることが可能であることは教示していない。
【０００８】
米国特許第６，１８８，８３１号も、媒体に記録されるオーディオビジュアル番組を表示する装置を教示する。この装置には、番組のイベントをマーク付けすることを可能にするポインティング手段（光学ペン）が具備される。
【０００９】
米国特許第５，６２３，５８８号は、イベントの時系列的なグラフィカル表現を表示するＩＴ装置を教示する。この表現は、対応する瞬間がエレメントをほとんど有さないか又は多くのエレメントを有するかに依存して変わる。マーカは、イベントを表示しながら、現在の瞬間の場所を定めることを可能にする。
【００１０】
米国特許第５，９７４，０１５号は、オーディオ及び／又はビデオデータのデジタル記録手段を開示する。これらのデータは、記録前にパケットに分割される。これらの文書はいずれも、前の読取り点に容易に且つ正確に戻る可能性は教示しない。
【００１１】
本発明は、この問題を解決することを可能にする。
【００１２】
従って、本発明は、読取りシステムに適用可能で、読取りシステムが特に連続情報である情報を読取り可能にする記録情報のセットを読取りする方法する方法に関連し、読取りシステムは、読取りされる情報の特別処理モードをトリガする少なくとも１つの装置を含む。この方法は、２つの段階を含み、即ち、
−ユーザが特別処理モードをトリガする装置を作動させるときの第１の中断によってトリガされて現在読取りされる第１の情報シーケンスに、第２の情報シーケンスを読取りすることを顧慮して、マークを付ける段階と、
−マーク付け段階の間に中断され且つマークが付けられた第１の情報シーケンスに巻戻しする段階を含み、この巻戻し段階は、第２の情報シーケンスの再生の間に、ユーザが巻戻し装置を作動させるときにユーザによってトリガされる。
【００１３】
この方法は、遠隔制御器又は装置のフロントパネル上に配置される幾つかの制御装置又は制御キーを含むシステムに適用可能であり、このコンテキストにおいて、巻戻し段階は、制御装置のうちいずれによっても制御可能である。
【００１４】
本発明では、第１のマーク付け段階後で、所定時間より大きい第２の情報シーケンスの読取り時間が経過した後に、ユーザが、特別処理モードをトリガする装置を再び作動させると、第２のマーク付け段階がトリガされ、以下同様に続く。
【００１５】
その一方で、所定時間より小さい第２の情報シーケンスの読取り時間が経過した後に、ユーザが、特別処理モードをトリガする装置を再び作動させると、第２のマーク付け段階はトリガされない。
【００１６】
このように動作すると、様々な連続するマークは、ユーザが後でその様々な連続するマークに戻ることができるよう消去されない。
【００１７】
記録された番組の前の表示の間にマークが付けられたシーケンスに戻ることができるためには、各情報アイテムには、各情報アイテムの位置を示すアドレス又は指示が割当てられる。各マーク付け段階では、情報のシーケンスに対応するアドレス又は位置を示す指示を、一時メモリ内に登録し、このことは、このシーケンスに後から戻ることを可能にする。そのためには、巻戻し段階は、一時メモリを読取りするフェーズを含む。その後で、一時メモリから読取りされた位置を示す指示に対応する情報シーケンスをアドレスするフェーズが与えられる。
【００１８】
マーク付けを行い、マーク付けされたシーケンスへの巻戻しを準備する１つの方法は、一時メモリにおいて、様々なマークに対応する様々な位置を示す指示に、番号を付ける方法である。更に、一般的にユーザインタフェースである巻戻し装置は、番号が付けられたキーを含むことができる。番号が付けられたキーを作動させることによって、同じ番号を有する位置を示す指示の読取りを可能にし、次に、巻戻し段階で、読取りされた位置を示す指示にある情報シーケンスに巻戻しする。
【００１９】
本発明の方法は更に、マーク付けされた情報シーケンスへ自分自身で巻戻しすることを可能にするグラフィカル表示する段階を与える。このグラフィカル表示は、記録された情報セットの継続時間又は長さの表現と、グラフィカル表示上に表示されるマーク付けされた各シーケンスの場所を示すタグを含む。各タグは、マーク番号に関連付けられることが可能である。
【００２０】
グラフィカル表示は、タイムアウトの終了後に消去され、少なくとも１つのマークが記録されたことを示す単純化されたインジケータの表示によって取って代わられることが可能である。そして、単純化されたインジケータが表示されているとき、巻戻し装置の第１の作動は、グラフィカル表示段階をトリガし、巻戻し装置の第２の作動は、マークがつけられたシーケンスまでの巻戻しをトリガする。
【００２１】
より簡単に、少なくとも１つのマーク付け段階がトリガされたことを示す簡単なグラフィカル情報アイテムの表示が与えられ得る。
【００２２】
本発明は更に、連続情報を読取りすることを可能にし、読取りされる情報の特別処理モードをトリガする少なくとも１つの装置を含み、記録情報の別のシーケンスに移動するよう情報の通常の読取りを中断可能な、記録情報のセットを読取りするシステムに関連し、このシステムは、特別モード信号を受信し中断されたシーケンスにマークを付け、メモリにおいて中断されたシーケンスのアドレスのマーク付けを命令する回路を含むことを特徴とする。
【００２３】
このシステムは更に、中断されたシーケンスへの巻戻しを命令する少なくとも１つの制御装置と、メモリ内の中断アドレス（Ａｄｄ１、Ａｄｄ２、…）の読取りを命令し、中断アドレスから記録の読取りへの巻戻しを命令する、メモリを読取りする回路を含む。
【００２４】
マーク付け回路は、１つ以上の中断アドレスのメモリ内への登録を命令することを可能にする。マーク付け回路は更に、連続番号（Ｍ１、Ｍ２、Ｍ３、…）を各中断アドレス（Ａｄｄ１、Ａｄｄ２、Ａｄｄ３、…）に割当てることが可能である。更に、番号が付けられたキーの作動は読取り回路（４６）によって使用されて、作動された番号が付けられたキーの番号と同じ連続番号を有するアドレスのメモリからの読取りを命令することができる。
【００２５】
本発明の様々な目的及び特徴は、非制限的な例により以下に与えられる説明と図面においてより明らかとなろう。
【００２６】
図１ａ及び図１ｂを参照するに、本発明の方法の１つの例示的な実施例を説明する。
【００２７】
本発明は、記録された情報のユーザによる再生に適用可能である。明瞭にするために、本発明は、ユーザはビデオ番組の視聴に関心があることを考慮することによって以下を説明する。この番組は、ビデオカセット、ＤＶＤ（デジタルバーサトルディスク）ディスク、コンピュータハードディスクといった任意の記録媒体上、又は、適切なリーダによって読取り可能なテレビジョンデコーダに記録される。この番組は、例えば、放送網を介して番組を受信することによって、又は、ポイントツーポイントリンクを介してサーバから番組をダウンロードすることによって、遠隔からでも記録可能である。従って、ユーザは、この番組へのアクセスを有し、この番組を表示画面（ＴＶ画面）上で視聴することができる。この表示を制御するために、ユーザは、既知の方法で、読取り装置を制御する遠隔制御器又はキーパッドが与えられる。一般的に、ユーザは、ビデオ番組の順方向又は逆方向読取りを制御可能にするキーと、様々なシーケンスの読取りのスキップを顧慮して記録の読取りシステムの早送り、又は、順方向若しくは逆方向スローモーションを制御するキーが与えられる。ユーザは更に、シーケンスの検索を顧慮して高速又は低速の読取り、順方向又は逆方向を制御するためのキー、並びに特定の動作を可能にする他の様々なキーが与えられる。上述したように、早送り又はスローモーションキー、及び、順方向又は逆方向高速読取りキーは、本願の説明では、「特別処理モードをトリガする装置」という用語で、一般的な方法で表す。
【００２８】
図１ｂは、瞬間Ｔ０で開始し、瞬間Ｔｍで終了するビデオ番組の記録を概略的に示す。従って、記録は、通常、矢印Ｆによって示す方向に読取りされる。記録番組が、現行のＤＶＤと同様に、チャプタで構成される場合、改良点は、現在のチャプタ、又は、現在のチャプタを含む幾つかのチャプタの代表のみを表示することにある。この改良点は、番組が多数の場所においてマーク付けされ、それらが時間的に近すぎて区別することが困難である場合に、特に有用である。
【００２９】
ユーザは、記録を表示しており、瞬間Ｔ０及びＴｍに対して記録の瞬間Ｔ１に対応する表示タグにいると仮定する。従って、図１ａでは、フローチャートの一番上にある段階１（「Ｔ１において番組を表示する」）にいる。
【００３０】
ユーザは番組を視聴している間に、特別処理モードトリガ装置を作動させる。例えば、ユーザは、記録の別のゾーンへの高速移動を希望する。しかし、これは、高速読取り又はスローモーションといった別のモードでも有り得る。従って、ユーザは、「特別動作を作動させる」と記されたフローチャートの段階２を実行する。記載する例示的な実施例では、「シーケンスマーク付け」と記された段階３において、後での使用を顧慮して瞬間Ｔ１において記録にマーク付けが行われる。
【００３１】
段階４（「Ｔ２における特別動作」）において、システムは、特別動作の実行を命令する。例えば、システムは、早送りと、瞬間Ｔ２＝Ｔ１＋ｔ１における早送りの停止を命令する。次に、ユーザは、再び通常の表示モードに従って記録を視聴する。しかし、今回は、瞬間Ｔ２から視聴する。このことは、フローチャートの段階５（「Ｔ２から表示する」）に記される。
【００３２】
記録番組を表示する間に、ユーザが巻戻し装置を作動させると、プログラムは、「巻戻し装置を作動させる」と記される段階６にスキップする。次に、図１ａの方法は、段階７（「Ｔ１において表示するために巻戻しする」）を与え、システムを前にマーク付けした記録タグまで巻戻しし、従って、瞬間Ｔ１まで巻戻す。尚、この巻戻し装置は、特定のキーであっても、又は、１つの変形では、遠隔制御器又はユーザのキーパッドの任意のキーであっても、或いは、画面上に出現するアイコンの選択で有り得る。
【００３３】
図２ａ乃至図２ｃを参照するに、本発明の方法のより改良された例示的な実施例を説明する。
【００３４】
図２ｂは、瞬間Ｔ０で開始し、瞬間Ｔｍで終了する記録Ｐ１を表す。ユーザは、記録を視聴する。瞬間Ｔ１において、ユーザは、早送りを行い、且つ、記録において様々な検索を行いたいと希望する。図２ａに示す方法は、ユーザが、記録の様々なタグを取出し可能となるようシステムの動作を管理する。このために、図２ａのフローチャートを参照する。
【００３５】
段階１において、ユーザは、記録Ｐ１に含まれる番組を表示し、瞬間Ｔ１となるまで続ける（「Ｔ１において番組を表示する」）。
【００３６】
瞬間Ｔ１において、ユーザは、特別処理モードトリガ装置を作動させる（段階２）。
【００３７】
「シーケンスマーク付け」と記される段階３において、マークＭ１が、記録の瞬間Ｔ１において付けられる。
【００３８】
段階４において、システムは、例えば、瞬間Ｔ３に位置付けられる記録のタグといった記録の別のシーケンスまでの特別動作を命令する。
【００３９】
段階５において、ユーザは、瞬間Ｔ３から継続時間ｔ３の間、記録を視聴する。
【００４０】
前と同様に、記録番組の表示の間に、ユーザは、巻戻し装置を作動可能であり、従って、プログラムは、「巻戻し装置の作動」と記される段階６と、マークからシーケンスを表示する段階７にスキップする。プログラムは、段階６及び７を繰り返して続行する。
【００４１】
瞬間Ｔ３＋ｔ３において、ユーザが、例えば、高速巻戻しキーである特別処理モードトリガ装置を作動させる（段階８）と仮定する。
【００４２】
段階９において、継続時間ｔ３は、所定値Ｄ１と比較される。
【００４３】
継続時間ｔ３が、Ｄ１より大きい場合、本発明の例示的な実施例では、段階３に巻戻しし、今中断されたシーケンスのマーク付けを行う。従って、マークＭ２が、記録の瞬間Ｔ３＋ｔ３に付けられる。その後、ユーザによって命令される特別動作が行われる。例えば、図２ｂに示されるように、高速巻戻しが瞬間Ｔ２まで行われる。
【００４４】
継続時間ｔ３が、Ｄ１より小さい場合、本発明の例示的な実施例では、段階４に直接行き、ユーザによって命令された高速動作が、記録の瞬間Ｔ３＋ｔ３におけるマーク付けを行うことなく行われる。
【００４５】
図２ｂでは、ｔ３は、Ｄ１より大きいと仮定されている。高速巻戻しＴ２が実行され、記録の瞬間Ｔ３＋ｔ３においてマークが付けられる。瞬間Ｔ２において、ユーザは、瞬間Ｔ２＋ｔ２まで通常の表示モードで記録を表示する（段階５）。この瞬間において、ユーザは、再び、特別処理モードトリガ装置を作動させる。ｔ２はＤ１より大きいと仮定する。前と同じ動作が、段階９、３、及び４を通ることにより繰り返される。従って、記録の瞬間Ｔ２＋ｔ２に位置付けられるタグは、マークＭ３によってマークが付けられ、特別動作が行われる。図２ｂの例では、この特別動作は、瞬間Ｔ４までの早送りである。ユーザは、再び、ｔ４がＤ１より小さいよう瞬間Ｔ４＋ｔ４において特別処理モードトリガ装置を作動させる。この条件では、記録は、瞬間Ｔ４＋ｔ４においてマーク付けされず、段階４はそのまま行われる。例えば、早送りが、記録の瞬間Ｔ５まで命令される（段階４）。ユーザは、Ｔから通常の表示モードで記録を表示（段階５）し、瞬間Ｔ６において、ユーザは、巻戻し装置を作動させて、マーク付けされたシーケンスに巻戻す（段階６）。例えば、巻戻しは、記録の最後にマーク付けされたシーケンス、即ち、マークＭ３まで行われる。
【００４６】
動作はその後も続行する。このような動作は、特別処理モードトリガ装置の作動（段階８）によって、又は、最近にマーク付けされたシーケンスへ巻戻すための巻戻し装置の作動（段階６）のいずれかによって前に説明したように中断可能である。
【００４７】
巻戻し装置は、遠隔制御器のキーパッド又は装置のフロントパネルの任意のキーから構成可能である。しかし、巻戻し装置は、特別処理モードをトリガするための装置とは異なり、特別処理モードをトリガする装置は、様々なキーで有り得る。
【００４８】
従って、一般的に、本発明は、ユーザが巻戻し装置を作動させたときに、特別処理モードトリガ装置をユーザが作動させたときに記録番組に自動的にマーク付けされたシーケンスに、同様に、自動的に戻ることをユーザに可能にするよう記録番組の自動マーク付けを可能にすることを見てきた。
【００４９】
本発明の１つの改良点では、特に、ビデオリーダの遠隔制御器における番号が付けられたキーとテレビ局を選択するためのキーが、巻戻し装置として使用される。本発明は次に、番号が付けられたキーの作動を与え、番号が付けられたキーが同じ番号を有するマークを表すことを可能にする。例えば、図２ｂの例では、表示がＴ６にあるとき、キー番号１を作動することによって、Ｍ１とマーク付けされた記録の場所にそのまま巻戻すことを可能にする。このことは、ユーザが、Ｔ６にいるときに、Ｍ１に巻戻すために、Ｍ３と次にＭ２とマーク付けられた場所を通過することを回避する。
【００５０】
この構成を実施するために、１つの例示的な実施例では、シーケンスマーク付け段階（段階３）において、中断された各シーケンスの位置の指示、従って、中断の瞬間（Ｔ１、Ｔ２、…、Ｔｎ）を一時記憶装置内に記録し、マークの連続番号と各指示とを関連付けるフェーズが与えられる。従って、図２ｃは、そのようなメモリを示す。様々な瞬間Ｔ１、Ｔ３＋ｔ３、Ｔ２＋ｔ２は記録され、マークの連続番号Ｍ１、Ｍ２、及びＭ３は、瞬間にそれぞれ割当てられる。その後、巻戻し装置の作動の間（段階６）に、「マークから表示する」段階（段階７）は、一時記憶装置を読取りするフェーズを有する。番号が付けられたキーが、このような動作方法で特殊化されない場合、最後に記録されたマークが読取りされ、それにより、記録における巻戻しアドレスが得られることが好適である。巻戻しキーが、所定のマークまでの巻戻しを許可しなければならない場合、作動されたキーの番号は、対応するマーク連続番号、従って、記録における対応する場所への直接アクセスを可能にする。
【００５１】
本発明の方法は、１つの変形では、記録がオーディオビジュアル番組の場合に単純にテレビジョン画面であり得る表示画面上に、記録の長さ又は継続時間を示すグラフィカル表現の表示を与える。このグラフィック上には、各マーク付け段階（段階３）の間に、行われたマーク付けを表すタグを表示するよう与えられる。同様に、現在読取りされている記録の場所を表す可動タグを表示するよう与えられる。
【００５２】
図３ａは、そのようなグラフィカル表現を示す。表示画面ＥＣ上には、記録の継続時間を表すエレメントＧＲが表示される。このエレメントは、図３ａでは、線形形式を有するが、任意の他の形式（例えば、開いた環形）を有することが可能である。エレメントＧＲの２つの端には、例えば、Ｔ０及びＴｍである記録の開始の瞬間と終了の瞬間が示される。
【００５３】
図２ｂの記録に対し付けられた様々なマークＭ１、Ｍ２、Ｍ３が、このグラフィカル表現上に示される。各マークの上方には、そのマーク連続番号（Ｍ１、Ｍ２、Ｍ３）が示される。最後に、可動矢印ｆｍが、記録のスクロールと平行して動く。例えば、図３ａでは、記録の読取りは、瞬間Ｔ６に到達している。
【００５４】
図３ｂは、１つの変形を示し、この変形では、マークの番号の位置は、記録番組の過程におけるマークの瞬間を視覚的に指し示す。記録の開始の瞬間（Ｔ０）と終了の瞬間（Ｔｍ）、マークの番号Ｍ１、Ｍ２、Ｍ３、並びに、記録マークの読取りの現在の瞬間が、グラフィックに登録される。
【００５５】
従って、段階６（巻戻し装置の作動）において、ユーザは、表示の再開を希望する記録のシーケンスを選択することができる。
【００５６】
このように表示されるグラフィカル表現は、ユーザに不都合を感じさせる場合もある。従って、本発明の方法は、タイムアウトとなると、このグラフィカル表現が、画面上に表示されないようにする。これは、ユーザにマーク付けが行われたことを思い出させるための小規模のタグによって置換されてもよい。この場合、グラフィック表現の表示をトリガする巻戻し装置の第１の作動と、巻戻しをトリガする第２の作動（段階２）が与えられる。
【００５７】
単純化された１つの変形では、如何なるグラフィック表現も表示せず、ユーザに、装置のメモリ内にマークが置かれていることを示すアイコンといったタグを単に表示することも可能である。
【００５８】
１つの好適な実施例は、読取り装置を停止したとき、又は、記録を変更したときに、メモリ内に置かれたマークを消去することにある。１つの変形は、メニュから消去を行うよう指示することにある。
【００５９】
図４は、デジタルビデオディスクリーダに例示的に適用される本発明の方法の１つの例示的な実施例を実施するシステムを示す例示的なブロック図である。
【００６０】
この例示的な実施例は、ディスクからの圧縮ビデオ及びオーディオデータを読取りし、そのデータをＤＶＤ仕様に応じて処理するよう適応されるデジタルビデオ装置を参照しながら説明するが、本発明は、位置情報が読取りされるデータ又は読取りされるデータパケットに関連付けられ、それにより、読取り装置が高速にデータアイテム又は特定のデータブロックの位置を正確に示し、その選択された場所から読取りを開始することができる任意のビデオ読取り装置に使用可能であることを理解するものとする。
【００６１】
図４は、例示的なデジタルビデオディスクリーダの基本的な構成要素を示す概略図である。これらの構成要素の構成及び動作は、当業者には周知であり、従って、ここでは詳細に扱わない。ディスクリーダ２４は、駆動及び読取り組立体２６を含み、これは、スレーブプロセッサ２９の制御下で、ディスクを回転させ、ディスク上に格納された情報を読取りする。前置増幅器２７及びＤＶＤデータ処理ユニット２８は、駆動及び読取り組立体２６からの電気パルスを、デジタルデータに変換し、このデジタルデータは、デジタルオーディオ／ビデオデコーダユニット３０によって処理可能である。データ処理ユニット２８は、ディスクから読取りされた生データの復調、誤り補正、及びスクランブル解除といった機能を行い、それにより、データは、デコーダユニット３０に適した形式となる。
【００６２】
デコーダユニット３０は、復調され、スクランブル解除され、及び誤り補正されたデータを受信し、データを処理し、適切なビデオ及びオーディオ信号を、テレビ受像機といった表示ユニットに供給する。デコーダユニット３０は、データ列デマルチプレクサ３２を含み、データ列デマルチプレクサ３２は、データ処理ユニット２８からのデータをビデオ列、オーディオ列、及び側別信号列を含む複数の別個のデータ列に多重分離し、これらのデータ列をそれぞれのデータデコーダに供給する。ビデオデコーダ３１は、ビデオ列を受信し、ミキサ３３にビデオ信号を供給する。サブイメージデコーダ３４は、サブイメージ列を受信し、データを、オンスクリーンディスプレイ（ＯＳＤ）制御部３５に供給し、この制御部３５は、ＯＳＤビデオ信号をミキサ３３に供給する。ミキサ３３からの組合わされたビデオ信号は、ＮＴＳＣ／ＰＡＬコーダ４２に供給され、このコーダは、ビデオ信号用の適切な規格に応じたビデオ信号をビデオ表示装置に供給する。オーディオデコーダ３６は、データ列デマルチプレクサ３２からオーディオ列を受信し、適切なオーディオ信号をオーディオシステムに供給する。
【００６３】
データ処理ユニット２８は、ディスクリーダ２４の動作を制御する。このユニットは、ユーザ制御装置４２に結合し、また、赤外線遠隔制御装置、リーダフロントパネルボタン等を含み、ユーザ制御装置４１からのデータを変換して、ディスクリーダ２４の上述した様々な構成要素の動作を制御する。データ処理ユニット２８は、メモリを有するか、又は、メモリに結合され、ディスクから抽出されたデータの表現のシーケンスを決定する様々な表を格納可能である。１つの特徴ある方法では、データ処理装置２８は更に、ディスクリーダ２４の様々なアクセス特性を制御するよう構成される。データ処理ユニット２８は、以下に制限されないが、専用集積回路、又は、デコーダ／コントローラユニットの一部を含む様々な形式で実施可能である。データ処理ユニット２８は、１つのユニットから、又は、複数の好適なコントローラユニットから構成可能である。
【００６４】
上に記載する例示的な実施例の枠内において、以下に明らかとするように、特に、読取り中断アドレスを格納するためのメモリ４５が設けられる。このメモリは、処理ユニット２８内に有り得る。
【００６５】
図４の例示的な実施例では、ユーザは、遠隔制御器といった制御装置４１を用いてリーダを制御する。例えば、遠隔制御器によって与えられる早送り命令は、データ処理ユニット２８によって解釈され、データ処理ユニット２８は、表示の停止を制御し、また、スレーブプロセッサ２９を介して、ディスクリーダユニットの早送りを制御する。この命令が与えられると、データ処理ユニット２８は、マーク付け回路４４に支援されて、メモリ内に中断及び中断アドレスの登録（例えば、Ａｄｄ１）を命令する。恐らく、図２ａの方法の適用において、データ処理ユニット２８は、マークの連続番号（例えばＭ１）をそのアドレスに関連付ける。データ処理ユニット２８は、特別処理モードトリガ装置が、遠隔制御器上で作動される度にこのような方法で処理を進める。従って、図４に示すように、メモリ４５内には幾つかの巻戻しアドレスがあるようになる。
【００６６】
ユーザが、特別処理モードトリガ装置以外、又は、「一時停止」、「停止」キー以外の遠隔制御装置上のキー、また、好適には数字が付いたキーを作動させると、データ処理ユニット２８は、読取り回路４６に支援されて、メモリ４５内に以前にマーク付けされたディスクアドレスに巻戻すよう命令しなければならないことを認識する。データ処理ユニット２８は、前に格納されたアドレスの読取りと、読取りされたアドレスのスレーブプロセッサ２９への送信を命令し、それにより、スレーブプロセッサ２９は、リーダ２４に、データ処理ユニット２８により供給されたディスクのアドレスに行き、読取りをするよう命令する。図２ａの方法の適用のコンテキストにおいて、数字が付いたキーを操作することによって、読取り回路４６が、その連続番号（Ｍ１、Ｍ２、Ｍ３、…）が作動されたキーと同じ番号であるアドレスを読取りすること可能にする。
【００６７】
最後に、中断アドレス又は巻戻しアドレス、並びに関連付けられる連続番号は、ユーザが、リーダの停止を命令するとき、又は、ディスクを交換するとき、処理ユニットの制御下で消去され得る。当然ながら、特定の機能キーを、メモリ内のこの情報を消去するために遠隔制御器上に設けてもよい。
【図面の簡単な説明】
【００６８】
【図１ａ】本発明の情報読取りの方法の単純化された実施例のための動作フローチャートである。
【図１ｂ】図１ａの方法の処理を示した記録を示す図である。
【図２ａ】本発明の方法のより複雑な実施例を示す図である。
【図２ｂ】本発明の方法のより複雑な実施例を示す図である。
【図２ｃ】本発明の方法のより複雑な実施例を示す図である。
【図３ａ】本発明の方法をユーザに使用可能にする表示の例を示す図である。
【図３ｂ】本発明の方法をユーザに使用可能にする表示の例を示す図である。
【図４】本発明の方法を実施可能にするシステムを示す例示的なブロック図である。
【図１ａ】
2005530282.tif 000003
【図１ｂ】
2005530282.tif 000004
【図２ａ】
2005530282.tif 000005
【図２ｂ】
2005530282.tif 000006
【図２ｃ】
2005530282.tif 000007
【図３ａ】
2005530282.tif 000008
【図３ｂ】
2005530282.tif 000009
【図４】
2005530282.tif 000010
【国際調査報告】
2005530282.tif 000011
2005530282.tif 000012
2005530282.tif 000013
2005530282.tif 000014